(57)【特許請求の範囲】
【請求項１】
クラッチカバー(26)とクラッチリフタープレート(40)との間にクラッチレリーズ機構(４)が設けられた摩擦クラッチ(１)において、
前記クラッチレリーズ機構(４)は、クラッチリフター機構(43)を備え、
前記クラッチリフタープレート(40)は、クラッチレバー(45)にて回動され、
前記クラッチカバー(26)には、支持軸(27)が支持され、
該支持軸(27)には、早ネジ機構(32)を介して固定カムプレート(25)が支持され、
該固定カムプレート(25)は、前記クラッチリフタープレート(40)よりも前記クラッチカバー(26)側に配設され、
前記クラッチリフター機構(43)は、前記固定カムプレート(25)と前記クラッチリフタープレート(40)との間に設けられ、
前記早ネジ機構(32)と前記支持軸(27)の回動による前記固定カムプレート(25)の移動の調整を行うバネ部材(34，50)とを具備し、摩擦クラッチ(１)の変位を自動調整するクラッチ変位吸収機構(５)が備えられることを特徴とする摩擦クラッチ(１)。
【請求項２】
前記クラッチ変位吸収機構(５)は前記固定カムプレート(25)と前記支持軸(27)とに跨って設けられることを特徴とする請求項１に記載の摩擦クラッチ(１)。
【請求項３】
前記クラッチ変位吸収機構(５)には、クラッチレリーズ操作の際に、前記支持軸(27)の回動を規制する支持軸回動規制機構(48)が設けられていることを特徴とする請求項２に記載の摩擦クラッチ(１)。
【請求項４】
前記支持軸回動規制機構(48)は、前記支持軸(27)に一体に設けられた鍔部(28)と前記クラッチカバー(26)との間で規制を行なう構造であることを特徴とする請求項３に記載の摩擦クラッチ(１)。
【請求項５】
前記バネ部材(34)は前記支持軸(27)の先端と前記固定カムプレート(25)の先端部の間に配置されることを特徴とする請求項４に記載の摩擦クラッチ(１)。
【請求項６】
前記支持軸回動規制機構(48)は、前記支持軸(27)の前記鍔部(28)と前記クラッチカバー(26)との間に皿バネ(36)と摩擦板(35)とを有することを特徴とする請求項５に記載の摩擦クラッチ(１)。
【請求項７】
前記バネ部材は、前記支持軸(27)を付勢力に応じて回動させるぜんまいバネ(50)であり、
該ぜんまいバネ(50)は、前記支持軸(27)の前記クラッチカバー(26)側の端部と、前記クラッチカバー(26)との間に設けられたことを特徴とする請求項１乃至請求項４の何れかに記載の摩擦クラッチ(１)。
【発明の詳細な説明】
【技術分野】
【０００１】
本発明は、摩擦クラッチにおいて、クラッチの摩擦板の磨耗あるいは熱膨張による摩擦板の厚さの変化によって生じるクラッチレリーズ機構の操作フィーリングの変化を解消して、操作フィーリングを適正に保つ手段に関するものである。
【背景技術】
【０００２】
従来の技術においては、クラッチレリーズ機構によってクラッチをレリーズする際には、クラッチレリーズ機構と共にクラッチ変位吸収機構を動かす構造であったため（例えば、特許文献１参照。）、動かされる部品の点数が多く、且つ重くなっていたので、クラッチ操作フィーリングの更なる向上が求められていた。
【先行技術文献】
【特許文献】
【０００３】
【特許文献１】特開２０１０−１６９１６７号公報
【発明の概要】
【発明が解決しようとする課題】
【０００４】
本発明は、クラッチレリーズ機構とクラッチ変位吸収機構とを分離して、クラッチをレリーズする際には、クラッチ変位吸収機構は固定され、クラッチレリーズ機構のみが動かされるようにして、クラッチレリーズ操作が軽く行われるようにし、クラッチ操作フィーリングを向上させようとするものである。
【課題を解決するための手段】
【０００５】
本発明は、上記課題を解決したものであって、請求項１に記載の発明は、
クラッチカバー(26)とクラッチリフタープレート(40)との間にクラッチレリーズ機構(４)が設けられた摩擦クラッチ(１)において、
前記クラッチレリーズ機構(４)は、クラッチリフター機構(43)を備え、
前記クラッチリフタープレート(40)は、クラッチレバー(45)にて回動され、
前記クラッチカバー(26)には、支持軸(27)が支持され、
該支持軸(27)には、早ネジ機構(32)を介して固定カムプレート(25)が支持され、
該固定カムプレート(25)は、前記クラッチリフタープレート(40)よりも前記クラッチカバー(26)側に配設され、
前記クラッチリフター機構(43)は、前記固定カムプレート(25)と前記クラッチリフタープレート(40)との間に設けられ、
前記早ネジ機構(32)と前記支持軸(27)の回動による前記固定カムプレート(25)の移動の調整を行うバネ部材(34，50)とを具備し、前記摩擦クラッチ(１)の変位を自動調整するクラッチ変位吸収機構(５)が備えられることを特徴とする摩擦クラッチ(１)に関するものである。
【０００６】
請求項２に記載の発明は、請求項１に記載の摩擦クラッチ(１)において、
前記クラッチ変位吸収機構(５)は前記固定カムプレート(25)と前記支持軸(27)とに跨って設けられることを特徴とするものである。
【０００７】
請求項３に記載の発明は、請求項２に記載の摩擦クラッチ(１)において、
前記クラッチ変位吸収機構(５)には、クラッチレリーズ操作の際に、前記支持軸(27)の回動を規制する支持軸回動規制機構(48)が設けられていることを特徴とするものである。
【０００８】
請求項４に記載の発明は、請求項３に記載の摩擦クラッチ(１)において、
前記支持軸回動規制機構(48)は、前記支持軸(27)に一体に設けられた鍔部(28)と前記クラッチカバー(26)との間で規制を行なう構造であることを特徴とするものである。
【０００９】
請求項５に記載の発明は、請求項４に記載の摩擦クラッチ(１)において、
前記バネ部材(34)は前記支持軸(27)の先端と前記固定カムプレート(25)の先端部の間に配置されることを特徴とするものである。
【００１０】
請求項６に記載の発明は、請求項５に記載の摩擦クラッチ(１)において、
前記支持軸回動規制機構(48)は、前記支持軸(27)の前記鍔部(28)と前記クラッチカバー(26)との間に皿バネ(36)と摩擦円盤(35)とを有することを特徴とするものである。  
請求項７に記載の発明は、請求項１乃至請求項４の何れかに記載の摩擦クラッチ(１)において、
前記バネ部材は、前記支持軸(27)を付勢力に応じて回動させるぜんまいバネ(50)であり、
該ぜんまいバネ(50)は、前記支持軸(27)の前記クラッチカバー(26)側の端部と、前記クラッチカバー(26)との間に設けられたことを特徴とするものである。
【発明の効果】
【００１１】
請求項１の発明において、
クラッチレリーズ操作の際には、クラッチレリーズ機構(４)は、クラッチ変位吸収機構(５)とは独立して操作が可能となるので、クラッチレリーズ操作が軽く、クラッチレリーズ操作のフィーリングが向上する。
また、簡易な構造によりクラッチの変位の吸収を行うことができ、構造の簡略化とコストの低減が可能となる。
【００１２】
請求項２の発明において、
クラッチレリーズ操作の際には、クラッチレリーズ機構(４)は、クラッチ変位吸収機構(５)とは独立に操作可能となるので、クラッチレリーズ操作が軽く、クラッチレリーズ操作のフィーリングが向上する。また、クラッチ変位吸収機構(５)を、コンパクトに構成することができる。
【００１３】
請求項３の発明において、
クラッチレリーズ操作の際には、クラッチ変位吸収機構(５)は支持軸回動規制機構(48)によって固定されるので、クラッチレリーズ機構(４)のみの操作となり、クラッチレリーズ操作が軽く行われ、クラッチレリーズ操作のフィーリングが向上する。
【００１４】
請求項４の発明において、
前記鍔部(28)によって前記支持軸(27)が受ける負荷を分散してクラッチカバー(26)にて受ける構造とされているので、前記支持軸(27)から受けるクラッチカバー(26)の負荷は低減されると共に、クラッチレリーズ操作時に、支持軸(27)を確実に固定することができる。
【００１５】
請求項５の発明において、
小さいバネ部材(34)によって、クラッチレリーズ操作終了時に、固定カムプレート(25)と支持軸(27)を元の位置へ戻すことができる。
【００１６】
請求項６の発明において、
支持軸回動規制機構(48)は、支持軸(27)の鍔部(28)とクラッチカバー(26)との間に皿バネ(36)と摩擦板(35)とを有しているので、クラッチレリーズの際に、鍔部(28)と摩擦板(35)とが接触して鍔部(28)と支持軸(27)とが回動不能に固定され、固定カムプレート(25)が軸方向に移動不可能に固定される。そのため、クラッチレリーズ操作の際には、クラッチレリーズ機構(４)のみの操作となり、クラッチレリーズ操作が軽く行われ、クラッチレリーズ操作のフィーリングが向上する。
また、請求項７の発明において、
ぜんまいバネ(50)によって、クラッチレリーズ操作終了時に、前記支持軸(27)と前記固定カムプレート(25)を容易に元の位置へ戻すことができる。
【図面の簡単な説明】
【００１７】
【図１】本発明の第１実施形態に係る摩擦クラッチの断面を後方から見た図である。
【図２】図１の摩擦クラッチの右半部の拡大断面図である。
【図３】クラッチレリーズ機構とクラッチ変位吸収機構の分解斜視図である。
【図４】本発明の第２実施形態に係る摩擦クラッチの断面を後方から見た図である。
【発明を実施するための形態】
【００１８】
図１は、本発明の第１実施形態に係る摩擦クラッチ１の断面を後方から見た図である。このクラッチは、鞍乗り型車両のパワーユニットのクランク軸（図示なし）から変速機のメイン軸２へ向かう回転動力伝達経路上に設置され、運転者の変速操作に応じて、接続解除および再接続されるものである。本実施形態では、クランク軸も変速機のメイン軸２も共に車両の左右方向に向けて配置され、摩擦クラッチがメイン軸の右端部に設けられているものを例として述べるが、これら部材の配置はこの例に限定されない。図１の左右方向は、車両の左右方向と一致している。上記摩擦クラッチ１は、クラッチ本体３とクラッチレリーズ機構４とクラッチ変位吸収機構５とからなっている。
【００１９】
図１の摩擦クラッチ１の左半部はクラッチ本体３である。クラッチ本体３において、変速機のメイン軸２には従動歯車６が、スリーブ７を介して上記メイン軸２に対して回転可能に遊嵌されている。従動歯車６には、クラッチアウタ８がリベット９によって固定されている。従動歯車６とクラッチアウタ８の間には緩衝部材10が設けられている。従動歯車６は、クランク軸に設けられた駆動歯車（図示なし）に噛合している。
【００２０】
メイン軸２には、クラッチインナ11が、スプライン12を介して、回転しないように装着されている。従動歯車６のボス部６ａとクラッチインナ11のボス部11ａとの間には環状部材13が介装され、クラッチインナ11の右端側は、ワッシャ14とナット15によって固定されている。即ち、クラッチインナ11は変速機のメイン軸２に対して固定されている。
【００２１】
クラッチアウタ８には外側摩擦板16が、クラッチインナ11には内側摩擦板17が、それぞれ複数個づつ軸方向摺動可能に保持され、交互に重なった状態で配置されている。外側摩擦板16はクラッチアウタ８に対して相対回転不可能に保持され、内側摩擦板17はクラッチインナ11に対して相対回転不可能に保持されている。クラッチインナ11のボス部11ａの外周に加圧プレート18が軸方向摺動可能に取りつけられている。加圧プレート18には複数の突出部18ａが設けられ、クラッチインナ11に設けられた複数の貫通孔に挿通されて図の右方へ突出している。したがって、クラッチインナ11と加圧プレート18は、メイン軸２周りの回転方向へは一体的に回転する。この摩擦クラッチ１では、上記の交互に重ねて配置してある外側摩擦板16と内側摩擦板17は、加圧プレート18の外周の加圧部18ｂとクラッチインナ11の外周の受圧部11ｂとの間に挟まれている。
【００２２】
加圧プレート18の突出部18ａの中心部には雌ネジが設けられ、そこに装着されるボルト19を介して、前記突出部18ａの頂部を連結する円環状の連結プレート20が固定されている。クラッチインナ11の外周縁部のコーナーと連結プレート20の外周部のコーナーとの間に設けられた皿ばね型クラッチスプリング21が連結プレート20を右方へ押し、ボルト19と突出部18ａを介して加圧プレート18を右方へ押している。クラッチスプリング21の付勢は、メイン軸２に固定されたクラッチインナ11を基点として、加圧プレート18を右方へ押す付勢であり、加圧プレート18の加圧部18ｂを、クラッチインナ11の受圧部11ｂの方へ押し、外側摩擦板16と内側摩擦板17とを圧迫してクラッチ１を接続している。上記連結プレート20の中央貫通孔にボールベアリング22が装着されている。ボールベアリング22は左方移動不可能に保持されている。以下の説明において、外側摩擦板16と内側摩擦板17とを総称して単に摩擦板23と呼ぶ。
【００２３】
図２は、図１の摩擦クラッチ１の右半部の拡大図であり、クラッチレリーズ機構４とクラッチ変位吸収機構５の断面を後方から見た図である。図３は、上記クラッチレリーズ機構４とクラッチ変位吸収機構５の分解斜視図である。クラッチレリーズ機構４とクラッチ変位吸収機構５とは固定カムプレート25を境界として接している。
【００２４】
以下の説明は、図２と図３とを参照しながら述べる。クラッチカバー26のボス部26ａに、クラッチカバー26の内方に向けて支持軸27が回動可能に保持されている。支持軸27には直径の大きい鍔部28が一体に形成されている。支持軸27の左半部に、早ネジボルト29が形成されている。
【００２５】
固定カムプレート25が、上記支持軸27の左半部に支持されている。固定カムプレート25は円筒部25ａと複数の固定カム部25ｂと係止凸部25ｃとを備えている。固定カム部25ｂはカム溝とその両脇の平板部とからなっている（図３）。上記円筒部25ａの内側には早ネジナット30が形成されている。上記係止凸部25ｃはクラッチカバーに設けられた係止凹部26ｂに軸方向摺動可能に嵌装されている。上記係止凸部25ｃと係止凹部26ｂとによって、固定カムプレート25の係止部31が形成され固定カムプレート25の回動が規制されている。上記固定カムプレート25の「固定」の意味は、「回動しない」という意味である。なお、軸方向には後述のクラッチ変位吸収機構５の作用によって移動可能である。
【００２６】
上記早ネジナット30は、前記支持軸27の左半部の早ネジボルト29に噛合っている。この両者の噛合いで構成される機構を早ネジ機構32と呼ぶ。固定カムプレート25の円筒部25ａの左端は、ネジ止めされた蓋部材33で覆われている。上記支持軸27の左端と上記蓋部材33の間にコイルばね34が装着されており、固定カムプレート25を左方へ、支持軸27を右方へ押している。支持軸の鍔部28とクラッチカバー26との間には摩擦円盤35と皿ばね36が装着されている。鍔部28と摩擦円盤35の周縁凸部35ａとの間に皿ばね36の付勢力による微小隙間37が形成されている。クラッチ変位吸収機構５は、固定カムプレート25とクラッチカバー26とに挟まれた部材によって構成されている。また、クラッチ変位吸収機構５の一部をなす支持軸回動規制機構48が、鍔部28と摩擦円盤35と皿ばね36とによって構成されている。
【００２７】
クラッチリフタープレート40が固定カムプレート25の左端に設けられている。クラッチリフタープレート40は、円筒部40ａと左端突出部40ｂと複数の可動カム部40ｃとガイド孔40ｄを備えている。可動カム部40ｃはカム溝とその両脇の平板部とからなっている（図３）。上記円筒部40ａは前記固定カムプレート25の円筒部25ａに、その外側から、周方向及び軸方向共に摺動可能に装着されている。左端突出部40ｂは前記連結プレート20のボールベアリング22の内輪の内孔に左方に向けて挿入されており、ボールベアリング22の内輪の端面はクラッチリフタープレート40の肩部に接している。前記固定カム部25ｂと可動カム部40ｃの対応するカム溝の間に、ボールリテーナ41で支持された複数のボール42が挟まれている。固定カムプレート25の円筒部25ａ外周に、ボールリテーナ抜け止めリング49が装着されている。クラッチレリーズ機構４は、クラッチリフタープレート40と固定カムプレート25とを両端部材としてこれらに挟まれた部材によって構成されている。クラッチレリーズ機構４の中において、クラッチリフター機構43が、上記固定カム部25ｂと可動カム部40ｃとボール42及びボールリテーナ41とによって形成されている。
【００２８】
クラッチ本体３は、長年使用していると、摩擦板23は表面が磨耗してくる。その結果クラッチインナ11の受圧部11ｂと加圧プレート18の加圧部18ｂとの間隔が狭まる。クラッチインナ11はメイン軸２に固定されているので軸方向へは動かないが、加圧プレート18はクラッチスプリング21の付勢力によって、軸方向右方へ移動し、連結プレート20とボールベアリング22とを右方へ押す。
【００２９】
また、クラッチ本体３は、使用時間が長く、断接が繰り返されると、摩擦熱が発生し、摩擦板23は熱膨張によって、厚さが厚くなる。その結果クラッチインナ11の受圧部11ｂと加圧プレート18の加圧部18ｂとの間隔が広がる。したがって、上記とは逆に、加圧プレート18はクラッチスプリング21の付勢力に抗して、軸方向左方へ移動し、連結プレート20とボールベアリング22も左方へ移動する。
【００３０】
もし、摩擦クラッチ１に、クラッチ変位吸収機構５が設けられていないとすれば、クラッチ１が接続されている時には、クラッチリフタープレート40の軸方向位置は変わらないので、摩擦板23が磨耗してくると、ボールベアリング22とクラッチリフタープレート40との間は圧接状態となる。この時クラッチレリーズ操作が行われると通常のクラッチレリーズに要する力の他に、上記圧接力を押し返す力が余分に必要となるので、クラッチペダルの踏力も大きい力が必要となる。
【００３１】
また、摩擦板23が熱膨張によって、厚さが厚くなると、ボールベアリング22とクラッチリフタープレート40との間に隙間が生じる。このため、クラッチペダル（図示なし）を踏んでからクラッチ切断までのクラッチリフタープレート40のストロークが大きくなるので、クラッチペダルの踏みストロークも大となり、クラッチが切りにくくなる。要するに上記何れの場合も、クラッチレリーズのフィーリングが変わる。実際には、前記摩擦板23の表面磨耗の影響と摩擦熱発生の影響の合成された影響によりフィーリングが変わる。
【００３２】
本実施形態のクラッチ変位吸収機構５は、上記摩擦板23の磨耗と熱膨張によってクラッチ本体に生じる変位によってクラッチレリーズ機構４に及ぼされる変位を吸収し、クラッチレリーズ操作時に生じるフィーリングの変化を無くす機構である。
【００３３】
本実施形態の摩擦クラッチ１においては、クラッチ本体３における、摩擦板23の磨耗又は熱膨張によって、加圧プレート18が軸方向の右方又は左方へ変位した時、連結プレート20とボールベアリング22も軸方向へ変位する。ボールベアリング22とクラッチリフタープレート40とボール42と固定カムプレート25は、左側からクラッチスプリング21によって押され、右側からコイルばね34によって押されているので、上記の変位の際には一体となって軸方向へ移動する。固定カムプレート25は係止部31の作用によって回動せず、軸方向へのみ移動する。この時、固定カムプレート25と支持軸27との間に設けられている早ネジ機構32によって、支持軸27は回動する。支持軸27の回動によって、ボールベアリング22とクラッチリフタープレート40との軸方向変位が吸収され、これによって、磨耗や熱膨張による摩擦板23の厚さ変化の影響は解消される。
【００３４】
摩擦クラッチ１の下方のクラッチペダル軸44（図１）にクラッチレバー45がスプライン46を介して固定されている。クラッチペダル軸44の左端にはクラッチペダル（図示なし）が固定されている。クラッチレバー45の上端にはピン47が取付けられている。このピン47は、前記クラッチリフタープレート40のガイド孔40ｄに移動可能に嵌合している。
【００３５】
クラッチレリーズ操作としてクラッチペダルが踏まれると、クラッチペダル軸44とクラッチレバー45が回動し、前記ピン47とガイド孔40ｄを介してクラッチリフタープレート40が回動する。このときクラッチリフター機構において、固定カム部25ｂと可動カム部40ｃの軸方向の対応位置がずれるので、ボール42はカム溝から外れ、カム溝の外の平板部へ移動し、クラッチリフタープレート40は左へ、固定カムプレート25は右へ移動し、両者の間隔が広がる。
【００３６】
支持軸27が回動すれば、固定カムプレート25の移動も吸収されてしまうので、クラッチレリーズが出来なくなる。支持軸回動規制機構48はクラッチ変位吸収機構５の一部として設けられているもので、クラッチレリーズの際に、クラッチ変位吸収機構５の機能を一時停止する機構である。支持軸回動規制機構48は支持軸27に一体に設けられた鍔部28と、鍔部とクラッチカバー26との間に装着された摩擦円盤35と、鍔部28と摩擦円盤35との間に装着された皿ばね36とからなっている。上記摩擦円盤35は周縁凸部35ａを備えている。
【００３７】
クラッチレリーズの際の固定カムプレート25の右方移動は一瞬であるので、支持軸27は回動する暇も無く、固定カムプレートに押されて右方へ僅かに移動する。この時、支持軸回動規制機構48では、皿ばね36の付勢力に抗して鍔部28が右方へ移動し、微小隙間37が無くなり、鍔部28と摩擦円盤35の周縁凸部35ａとが圧接され、鍔部28及び支持軸27が回動不能に固定される。これに伴って固定カムプレート25は軸方向移動不可能に固定される。固定カムプレート25が軸方向に固定されることによって、クラッチレリーズ操作が可能になる。
【００３８】
クラッチレリーズ操作によって、クラッチリフタープレート40の左端突出部40ｂが、ボールベアリング22と連結プレート20とを介して、皿ばね型クラッチスプリング21の付勢力に抗して、加圧プレート18を左方へ押した時、摩擦クラッチ１はレリーズされる。
【００３９】
クラッチ摩擦板23の磨耗は年月単位の変化であり、熱膨張は時間単位の変化であるが、クラッチレリーズ操作は秒単位の変化である。クラッチレリーズの初期に固定カムプレートは軸方向に僅かに移動するが、クラッチレリーズ操作時の固定カムプレート25の動きは前記の変位吸収時の固定カムプレート25の動きに比して、はるかに素早い動きであるので、支持軸27は、ほとんど回動する暇も無く回動不能に固定され、これによって固定カムプレート25は軸方向移動不可能に固定されるので、クラッチレリーズ操作が可能になるのである。
【００４０】
クラッチレリーズ操作を終わり、クラッチ再接続のために、クラッチペダルの踏み込みが解除されると、クラッチリフタープレート40は回動し、元の位置へ戻る。クラッチリフター機構において、ボール42は再び可動カム部40ｃと固定カム部25ｂのカム溝の中へ収まる。クラッチリフタープレート40はクラッチ本体３側から右方へ押される。固定カムプレート25はコイルばね34によって左方へ押されている。クラッチリフタープレート40と固定カムプレート25との間隔が狭まる。固定カムプレート25が左方へ移動するので、微小隙間37が開き、支持軸回動規制機構48は規制が解除される。結局、クラッチが再接続されると、摩擦クラッチ１の全体、即ちクラッチ本体３、クラッチレリーズ機構４、及びクラッチ変位吸収機構５の各部材は、すべてクラッチレリーズ前の位置に戻る。
【００４１】
図４は本発明の第２実施形態に係る摩擦クラッチ１の断面を後方から見た図である。第２実施形態においては、第１実施形態と同じ機能の部材には同じ名称と同じ符号を付して説明する。クラッチ本体３とクラッチレリーズ機構４とクラッチ変位吸収機構５の構成と作用は第１実施形態と略同じであるが、第２実施形態では、クラッチ変位吸収機構５の一部が第１実施形態と相違している。相違点は、第１実施形態における固定カムプレート25の左端部の蓋部材33とコイルばね34が取り除かれ、代わりに、第２実施形態では支持軸27の右端部とクラッチカバー26の間にぜんまいバネ50が設けられた点である。
【００４２】
クラッチ本体３の摩擦板23の磨耗あるいは熱膨張によって、クラッチ本体３側の変位によって、クラッチリフタープレート40の変位が生じると、固定カムプレート25も軸方向に移動する。固定カムプレート25の軸方向移動に伴って、固定カムプレート25と支持軸27との間の早ネジ機構32により、支持軸27はぜんまいバネ50の付勢力に応じて回動する。即ち支持軸27の回動によって、ボールベアリング22の変位によるクラッチリフタープレート40の変位が吸収される。
【００４３】
クラッチレリーズ操作としてクラッチペダルが踏まれると、クラッチペダル軸44とクラッチレバー45が回動し、前記ピン47とガイド孔40ｄを介してクラッチリフタープレート40が回動する。このときクラッチリフター機構43において、固定カム部25ｂと可動カム部40ｃの軸方向の対応位置がずれるので、ボール42はカム溝から外れ、カム溝の外の平板部へ移動し、クラッチリフタープレート40と固定カムプレート25との間隔が広がる。クラッチリフタープレート40と固定カムプレート25との間隔が広がると、支持軸27が右方へ押され、鍔部28が右方へ移動し、微小隙間37が無くなり、鍔部28と摩擦円盤35の周縁凸部35ａとが圧接され、支持軸の回動が規制される。クラッチ本体３側では、クラッチリフタープレート40の左端突出部40ｂが、ボールベアリング22と連結プレート20とを介して加圧プレート18を左方へ押し、摩擦クラッチ１はレリーズされる。
【００４４】
クラッチ再接続のためにクラッチレリーズ操作を終わる時には、クラッチペダルの踏み込みが解除される。この時、クラッチリフタープレート40は回動し、元の位置へ戻り、ボール42は再び可動カム部40ｃと固定カム部25ｂのカム溝の中へ収まる。クラッチリフタープレート40はクラッチ本体３側から右方へ押される。ぜんまいバネ50は、その付勢力によって、支持軸27を回動させ、固定カムプレート25を、左方へ押す。結局、クラッチが再接続されると、摩擦クラッチ１の全体、即ちクラッチ本体３、クラッチレリーズ機構４、及びクラッチ変位吸収機構５の各部材は、すべてクラッチレリーズが行われる前の位置に戻る。以上によって、第２実施形態のぜんまいバネ50も、第１実施形態のコイルばね34と同様に機能する。
【００４５】
以上詳述したように、上記実施形態においては次のような効果がもたらされる。
（１）上記実施形態では、クラッチカバー26とクラッチリフタープレート40との間にクラッチレリーズ機構４が設けられ、クラッチレバー45にて回動されるクラッチレリーズ機構４は、クラッチリフター機構43を備え、クラッチカバー26には、支持軸27が支持されている。支持軸27には、早ネジ機構32を介して固定カムプレート25が支持され、固定カムプレート25は、クラッチリフタープレート40よりもクラッチカバー26側に配設され、クラッチリフター機構43は、固定カムプレート25とクラッチリフタープレート40との間に設けられている。そして、早ネジ機構32と支持軸27の回動による固定カムプレート25の移動の調整を行うバネ部材34，50とを具備し、摩擦クラッチ１の変位を自動調整するクラッチ変位吸収機構５を備えているため、クラッチレリーズ操作の際には、クラッチレリーズ機構４は、クラッチ変位吸収機構５とは独立して操作が可能となり、クラッチレリーズ操作が軽く、クラッチレリーズ操作のフィーリングが向上する。
また、簡易な構造によりクラッチの変位の吸収を行うことができ、構造の簡略化とコストの低減が可能となる。
（２）前記クラッチ変位吸収機構５は前記固定カムプレート25と前記支持軸27とに跨って設けられている。したがって、クラッチレリーズ操作の際には、クラッチレリーズ機構４は、クラッチ変位吸収機構５とは独立に操作可能となるので、クラッチレリーズ操作が軽く、クラッチレリーズ操作のフィーリングが向上する。また、クラッチ変位吸収機構５を、コンパクトに構成することができる。
（３）前記クラッチ変位吸収機構５には、クラッチレリーズ操作の際に、前記支持軸27の回動を規制する支持軸回動規制機構48が設けられている。したがって、クラッチレリーズ操作の際には、クラッチ変位吸収機構５は支持軸回動規制機構48によって固定されるので、クラッチリフター機構43のみの操作となり、クラッチレリーズ操作が軽く行われ、クラッチレリーズ操作のフィーリングが向上する。また、簡易な構造によりクラッチの変位の吸収を行なうことができ、構造の簡略化とコストの低減が可能となる。
（４）前記支持軸回動規制機構48は、前記支持軸27に一体に設けられた鍔部28とクラッチカバー26との間で規制を行なう構造である。前記鍔部28によって前記支持軸27が受ける負荷を分散してクラッチカバー26にて受ける構造とされているので、前記支持軸27から受けるクラッチカバー26の負荷は低減されると共に、クラッチレリーズ操作時に、支持軸27を確実に固定することができる。
（５）第１実施形態の摩擦クラッチ１においては、前記コイルばね34は前記支持軸27の先端と前記固定カムプレート25の先端部の間に配置されている。小さいコイルばね34によって、クラッチレリーズ操作終了時に、固定カムプレート25と支持軸27を元の位置へ戻すことができる。
（６）支持軸回動規制機構48は、支持軸27の鍔部28とクラッチカバー26との間に皿バネ36を有しているため、皿バネ36によって支持軸27が回動するために必要な微少隙間37を形成することができる。
また、支持軸回動規制機構48は、支持軸27の鍔部28とクラッチカバー26との間に摩擦円盤35を有しているため、クラッチレリーズ操作の際に、鍔部28と摩擦円盤35とが接触することにより鍔部28と支持軸27とが回動不能に固定されることとなる。そのため、固定カムプレート25が軸方向に移動不可能に固定され、クラッチレリーズ操作の際には、確実にクラッチレリーズ機構４のみの操作となり、クラッチレリーズ操作が軽く行われ、クラッチレリーズ操作のフィーリングが向上する。
（７）第２実施形態の摩擦クラッチ１においては、前記支持軸27の前記クラッチカバー26側の端部と、前記クラッチカバー26との間に、ぜんまいバネ50が設けられている。ぜんまいバネ50によって、クラッチ変位の吸収が可能になるとともに、クラッチレリーズ操作終了時に、前記支持軸27と前記固定カムプレート25を容易に元の位置へ戻すことができる。
【符号の説明】
【００４６】
１…摩擦クラッチ、４…クラッチレリーズ機構、５…クラッチ変位吸収機構、25…固定カムプレート、26…クラッチカバー、27…支持軸、28…鍔部、34…コイルばね、40…クラッチリフタープレート、43…クラッチリフター機構、45…クラッチレバー、48…支持軸回動規制機構、50…ぜんまいバネ
【図１】
0005685176.tif 000002
【図２】
0005685176.tif 000003
【図３】
0005685176.tif 000004
【図４】
0005685176.tif 000005